(57)【要約】  【課題】  撮影操作時における携帯端末の姿勢が適切であるか否かを利用者に容易に認識させることが可能な携帯端末及び携帯端末制御方法を提供する。  【解決手段】  携帯電話機は、カメラ１１１を備えており、その携帯電話機の姿勢についての水平方向の角度を測定する水平センサ１０６と、水平センサ１０６によって測定された携帯電話機の姿勢についての水平方向の角度に基づいて、携帯電話機の水平方向の姿勢を調整するための調整用情報を出力する表示部１１３を有する。利用者は、出力された水平方向の調整用情報に基づいて、携帯電話機の姿勢を水平にさせることができる。【選択図】  図１
2005303432.tif 000002
【特許請求の範囲】
【請求項１】
撮影手段と、
自己の姿勢を表す姿勢角度を測定する姿勢角度測定手段と、
前記姿勢角度に基づいて、撮影操作に関する所定の処理を行う処理手段とを有することを特徴とする携帯端末。
【請求項２】
前記処理手段は、前記姿勢角度に基づいて、自己の姿勢を調整するための調整用情報を出力する出力手段を有することを特徴とする請求項１に記載の携帯端末。
【請求項３】
前記出力手段は、前記姿勢角度に基づく所定の映像を前記調整用情報として表示する映像表示手段を有することを特徴とする請求項２に記載の携帯端末。
【請求項４】
前記出力手段は、前記姿勢角度に基づく明滅パターンの光を前記調整用情報として出力する光明滅手段を有することを特徴とする請求項２に記載の携帯端末。
【請求項５】
前記光明滅手段は、操作手段を照明するための光源により前記明滅パターンの光を出力することを特徴とする請求項４に記載の携帯端末。
【請求項６】
前記処理手段は、前記姿勢角度に基づいて、前記撮影手段を制御する撮影制御手段を有することを特徴とする請求項１乃至５のいずれかに記載の携帯端末。
【請求項７】
前記撮影制御手段は、前記姿勢角度が所定の角度範囲内である場合に、前記撮影手段による撮影を制限することを特徴とする請求項６に記載の携帯端末。
【請求項８】
撮影手段を備えた携帯端末を制御する携帯端末制御方法であって、
前記携帯端末の姿勢を表す姿勢角度を測定する姿勢角度測定ステップと、
前記姿勢角度に基づいて撮影操作に関する所定の処理を行う処理ステップとを有することを特徴とする携帯端末制御方法。
【請求項９】
前記処理ステップは、前記姿勢角度に基づいて、前記携帯端末の姿勢を調整するための調整用情報を出力する出力ステップを有することを特徴とする請求項８に記載の携帯端末制御方法。
【請求項１０】
前記出力ステップは、前記姿勢角度に基づく所定の映像を前記調整用情報として映像表示手段に出力させることを特徴とする請求項９に記載の携帯端末制御方法。
【請求項１１】
前記出力ステップは、前記姿勢角度に基づく明滅パターンの光を前記調整用情報として光明滅手段に出力させることを特徴とする請求項９に記載の携帯端末制御方法。
【請求項１２】
前記処理ステップは、前記姿勢角度に基づいて、前記撮影手段を制御する撮影制御ステップを有することを特徴とする請求項８乃至１１のいずれかに記載の携帯端末制御方法。
【請求項１３】
前記撮影制御ステップは、前記姿勢角度が所定の角度範囲内である場合に、前記撮影手段による撮影を制限することを特徴とする請求項１２に記載の携帯端末制御方法。
【発明の詳細な説明】
【技術分野】
【０００１】
本発明は、カメラ付き携帯電話機等の撮影手段を備えた携帯端末及びその携帯端末を制御する携帯端末制御方法に関する。
【背景技術】
【０００２】
近年、携帯電話機等の携帯端末には、多種多様な機能が搭載されるようになっており、カメラを備えた携帯端末も一般的になっている（例えば、特許文献１参照）。また、このような携帯端末に備えられたカメラの感度や解像度等の性能がデジタルカメラに対して遜色のないものも商品化されている。更に、自動合焦点機能等の高品質な映像の撮影を可能とするための工夫や、被写体をカメラの撮影範囲の中心に配置するための工夫等もなされている。
【特許文献１】特開２００３−１６９１１６号公報
【発明の開示】
【発明が解決しようとする課題】
【０００３】
前述したような携帯端末は、利用者が持ち運ぶために小型化及び軽量化が図られている。利用者は、このような携帯端末のカメラによる撮影の際、携帯端末に備えられた小型の液晶画面等に表示された映像を目視して姿勢を調整するため、正確な調整が困難であり、撮影される映像が傾いてしまうことも多い。また、携帯端末は、小型化されているために利用者が持ち運んでいても不自然ではなく、隠し撮り等の本来想定されていない姿勢での撮影に利用される可能性もある。
【０００４】
本発明は従来の問題を解決するためになされたもので、撮影操作時における携帯端末の姿勢が適切であるか否かを利用者に容易に認識させることが可能な携帯端末及び携帯端末制御方法を提供することを目的とする。
【課題を解決するための手段】
【０００５】
本発明の携帯端末は、撮影手段と、自己の姿勢を表す姿勢角度を測定する姿勢角度測定手段と、前記姿勢角度に基づいて撮影操作に関する所定の処理を行う処理手段とを有する構成となる。
【０００６】
この構成により、携帯端末は、自己の姿勢角度を測定し、その姿勢角度に基づいて撮影操作に関する所定の処理を行うことができる。このため、撮影操作時における携帯端末の姿勢が適切であるか否かを利用者に容易に認識させることが可能となる。
【０００７】
また、本発明の携帯端末は、前記処理手段が、前記姿勢角度に基づいて、前記携帯端末の姿勢を調整するための調整用情報を出力する出力手段を有する構成となる。
【０００８】
この構成により、利用者は、調整用情報を認識して、携帯端末の姿勢を適切に調整することができる。
【０００９】
また、本発明の携帯端末は、前記出力手段が、前記姿勢角度に基づく所定の映像を前記調整用情報として表示する映像表示手段を有する構成となる。
【００１０】
この構成により、利用者は、調整用情報を視認して、携帯端末の姿勢を適切に調整することができる。
【００１１】
また、本発明の携帯端末は、前記出力手段が、前記姿勢角度に基づく明滅パターンの光を前記調整用情報として出力する光明滅手段を有する構成となる。
【００１２】
この構成により、利用者は、光の明滅パターンにより調整用情報を視認して、携帯端末の姿勢を適切に調整することができる。
【００１３】
また、本発明の携帯端末は、前記光明滅手段が、操作手段を照明するための光源により前記明滅パターンの光を出力する構成となる。
【００１４】
この構成により、調整用情報の出力のためだけに光明滅手段を有する必要がなく、コストの削減が可能になる。
【００１５】
また、本発明の携帯端末は、前記処理手段が、前記姿勢角度に基づいて、前記撮影手段を制御する撮影制御手段を有する構成となる。
【００１６】
この構成により、携帯端末の姿勢に基づく撮影手段の適切な制御が可能となる。
【００１７】
また、本発明の携帯端末は、前記撮影制御手段が、前記姿勢角度が所定の角度範囲内である場合に、前記撮影手段による撮影を制限する構成となる。
【００１８】
この構成により、例えば利用者が撮影手段の撮影方向を上方に傾けて隠し撮りを行おうとする場合に、撮影手段による撮影を制限して、利用者の不正使用を防止することが可能となる。
【００１９】
また、本発明の携帯端末制御方法は、撮影手段を備えた携帯端末を制御するものであって、前記携帯端末の姿勢を表す姿勢角度を測定する姿勢角度測定ステップと、前記姿勢角度に基づいて撮影操作に関する所定の処理を行う処理ステップとを有する構成となる。
【００２０】
この構成により、携帯端末の姿勢角度が測定され、その姿勢角度に基づいて撮影操作に関する所定の処理が行われる。このため、撮影操作時における携帯端末の姿勢が適切であるか否かを利用者に容易に認識させることが可能となる。
【００２１】
また、本発明の携帯端末制御方法は、前記処理ステップが、前記姿勢角度に基づいて、前記携帯端末の姿勢を調整するための調整用情報を出力する出力ステップを有する構成となる。
【００２２】
この構成により、利用者は、調整用情報を認識して、携帯端末の姿勢を適切に調整することができる。
【００２３】
また、本発明の携帯端末制御方法は、前記出力ステップが、前記姿勢角度に基づく所定の映像を前記調整用情報として映像表示手段に出力させる構成となる。
【００２４】
この構成により、利用者は、調整用情報を視認して、携帯端末の姿勢を適切に調整することができる。
【００２５】
また、本発明の携帯端末制御方法は、前記出力ステップが、前記姿勢角度に基づく明滅パターンの光を前記調整用情報として光明滅手段に出力させる構成となる。
【００２６】
この構成により、利用者は、光の明滅パターンにより調整用情報を視認して、携帯端末の姿勢を適切に調整することができる。
【００２７】
また、本発明の携帯端末制御方法は、前記処理ステップが、前記姿勢角度に基づいて、前記撮影手段を制御する撮影制御ステップを有する構成となる。
【００２８】
この構成により、携帯端末の姿勢に基づく撮影手段の適切な制御が可能となる。
【００２９】
また、本発明の携帯端末制御方法は、前記撮影制御ステップが、前記姿勢角度が所定の角度範囲内である場合に、前記撮影手段による撮影を制限する構成となる。
【００３０】
この構成により、例えば利用者が撮影手段の撮影方向を上方に傾けて隠し撮りを行おうとする場合等において、撮影手段による撮影を制限して不正使用を防止し、利用者に対して携帯端末の姿勢が不適切であることを認識させることが可能となる。
【発明の効果】
【００３１】
本発明は、携帯端末が、自己の姿勢角度を測定し、その姿勢角度に基づいて撮影操作に関する所定の処理を行うことができ、撮影操作時における携帯端末の姿勢が適切であるか否かを利用者に容易に認識させることが可能となる。
【発明を実施するための最良の形態】
【００３２】
以下、本発明の実施の形態の携帯端末について、図面を用いて説明する。
【００３３】
本発明の実施の形態における携帯端末としての携帯電話機のブロック図を図１に示す。図１に示す携帯電話機は、アンテナ・スイッチ部１０１、復調部１０２、変調部１０３、信号処理部１０４、垂直センサ１０５、水平センサ１０６、操作部１０７、ＣＰＵ１０８、マイク１０９、スピーカ１１０、カメラ１１１映像処理部１１２、表示部１１３、記録部１１４、ＬＥＤ（Light Emitting Diode）１１５及び１１６を有する。
【００３４】
アンテナ・スイッチ部１０１は、時分割により送信と受信とに切り替えることによって、１本のアンテナにより無線信号の送受信を行う。復調部１０２は、アンテナ・スイッチ部１０１によって受信された無線信号が入力されると、復調して信号処理部１０４へ出力する。変調部１０３は、信号処理部１０４の出力を変調し、アンテナ・スイッチ部１０１へ出力する。信号処理部１０４は、復調部１０２の出力に対して所定の信号処理を施し、その信号処理により得られる信号をスピーカ１１０へ出力するとともに、マイク１０９からの信号に所定の信号処理を施し、変調部１０３へ出力する。また、信号処理部１０４は、復調部１０２の出力に対する信号処理により得られる各種データをＣＰＵ１０８へ出力するとともに、ＣＰＵ１０８からの各種データに所定の信号処理を施し、変調部１０３へ出力する。
【００３５】
垂直センサ１０５は、携帯電話機の姿勢について、垂直方向の角度を測定し、その測定結果をＣＰＵ１０８へ出力する。一方、水平センサ１０６は、携帯電話機の姿勢について、水平方向の角度を測定し、その測定結果をＣＰＵ１０８へ出力する。操作部１０７は、キーボード、スイッチ、スクロールバー等により構成され、利用者の操作に応じた情報（操作情報）をＣＰＵ１０８へ出力する。
【００３６】
ＣＰＵ１０８は、携帯電話機全体の制御を行うとともに、入力されるデータの圧縮や伸張、記録部１１４へのデータの書き込み及び記録部１１４からのデータの読み出し等の処理を行う。また、ＣＰＵ１０８は、ＬＥＤ１１５及び１１６の明滅を制御する。マイク１０９は、検出した音声を電気信号に変換して信号処理部１０４へ出力する。スピーカ１１０は、信号処理部１０４からの信号を音声に変換して出力する。
【００３７】
カメラ１１１は、映像を電気信号（映像信号）に変換して映像処理部１１２へ出力する。映像処理部１１２は、カメラ１１１からの映像信号を表示部１１３において表示可能な信号に変換したり、その表示部１１３において表示される映像のバランス調整等を行う。表示部１１３は、ＬＣＤ（Liquid Crystal Display）等により構成され、ＣＰＵ１０８を介して入力される操作部１０７からの操作情報やＣＰＵ１０８からのシステムの制御情報、カメラ１１１の撮影によって得られる映像信号に基づく映像等を表示する。記録部１１４は、半導体メモリ等により構成され、ＣＰＵ１０８の制御により、そのＣＰＵ１０８からのデータを保存したり、保存しているデータをＣＰＵ１０８へ出力する。ＬＥＤ１１５及び１１６は、ＣＰＵ１０８の制御により明滅する。
【００３８】
本実施形態の携帯電話機の正面図を図２に示す。図２に示す携帯電話機において、カメラ１１１は、表示部１１３の裏面側に実装されている。また、表示部１１３の下部にはＬＥＤ１１５及び１１６が実装されている。更に、操作部１０７には、カメラ起動スイッチ５０４、スクロールバー５０５、ファンクションキー５０６及び５０７、テンキー５０８及び５０９が含まれる。
【００３９】
以上のように構成される携帯電話機について、利用者による携帯電話機の姿勢調整を支援する第１実施例と、携帯電話機の姿勢に応じてカメラ１１１による撮影の可否を決定する第２実施例とについて説明する。
【００４０】
まず、第１実施例について説明する。第１実施例における携帯電話機の動作を示すフローチャートを図３に示す。
【００４１】
利用者が操作部１０７内のカメラ起動スイッチ５０４を押下すると、操作部１０７は、その操作に対応する操作情報をＣＰＵ１０８へ出力する。ＣＰＵ１０８は、この操作情報が入力されると、映像処理部１１２を介してカメラ１１１に対して起動信号を出力する。カメラ１１１は、起動信号が入力されると、起動し、映像を撮影可能な状態になる（Ｓ３０１）。起動したカメラ１１１は、撮影を開始して映像信号を映像処理部１１２へ出力する。映像処理部１１２は、入力される映像信号を表示部１１３において表示可能な信号に変換して表示部１１３へ出力する。表示部１１３は、映像処理部１１２からの信号に応じた映像の表示、換言すれば、カメラ１１１の撮影によって得られる映像信号に基づく映像の表示を行う（Ｓ３０２）。利用者は、表示部１１３に表示される映像を見ながら、カメラ１１１が被写体の方向を向くように、そのカメラ１１１の方向を調整して、被写体をカメラ１１１の撮影範囲に収めるようにする。
【００４２】
ＣＰＵ１０８は、Ｓ３０２の動作の後、水平センサ１０６を起動する。起動した水平センサ１０６は、携帯電話機の姿勢について水平方向の角度を測定し、その測定結果をＣＰＵ１０８へ出力する（Ｓ３０３）。ＣＰＵ１０８は、携帯電話機の姿勢についての水平方向の角度の測定結果に基づいて、水平方向の角度調整用情報を生成し、外部へ出力する（Ｓ３０４）。
【００４３】
例えば、図４の姿勢４０２に示すように携帯電話機が左に傾いた姿勢である場合、ＣＰＵ１０８は、携帯電話機を垂直な姿勢（姿勢４０１）にすべく、右へ傾けるように指示するための水平方向の角度調整用情報を生成して外部へ出力する。一方、図４の姿勢４０３に示すように携帯電話機が右に傾いた姿勢である場合、ＣＰＵ１０８は、携帯電話機を垂直な姿勢（姿勢４０１）にすべく、左へ傾けるように指示するための角度調整用情報を生成して外部へ出力する。利用者は、外部出力された水平方向の角度調整用情報に基づいて、携帯電話機の姿勢を調整することができる。これにより、携帯電話機の姿勢を容易に水平に保たせること、換言すれば、カメラ１１１の撮影による映像の水平を保たせることが可能となる。
【００４４】
以下、水平方向の角度調整用情報の出力の具体例について説明する。
【００４５】
表示部１１３は、図５に示すように、水平方向の角度調整用情報としての矢印画像５０２及び５０３を表示する。具体的には、水平センサ１０６からの測定結果が、図４の姿勢４０２に示すように携帯電話機が左に傾いた姿勢であることを示す場合には、利用者に対して右側へ傾ける指示を出すべく、ＣＰＵ１０８は、映像処理部１１２に対して、矢印画像５０２の表示を指示する。映像処理部１１２は、この指示に応じて、矢印画像５０２を表示するための信号を表示部１１３へ出力し、表示部１１３は、映像処理部１１２からの信号に応じた矢印映像５０２の表示を行う。一方、水平センサ１０６からの測定結果が、図４の姿勢４０３に示すように携帯電話機が右に傾いた姿勢であることを示す場合には、利用者に対して左へ傾ける指示を出すべく、ＣＰＵ１０８は、映像処理部１１２に対して、矢印画像５０３の表示を指示する。映像処理部１１２は、この指示に応じて、矢印画像５０３を表示するための信号を表示部１１３へ出力し、表示部１１３は、映像処理部１１２からの信号に応じた矢印映像５０３の表示を行う。
【００４６】
また、ＬＥＤ１１５及び１１６は、水平方向の角度調整用情報としての所定の明滅パターンの光を出力する。具体的には、水平センサ１０６からの測定結果が、図４の姿勢４０２に示すように携帯電話機が左に傾いた姿勢であることを示す場合には、利用者に対して右へ傾ける指示を出すべく、ＣＰＵ１０８は、ＬＥＤ１１５を消灯させ、ＬＥＤ１１６を点灯させる制御を行う。この制御に応じて、ＬＥＤ１１５は消灯し、ＬＥＤ１１６は点灯する。一方、水平センサ１０６からの測定結果が、図４の姿勢４０３に示すように携帯電話機が右に傾いた姿勢であることを示す場合には、利用者に対して左へ傾ける指示を出すべく、ＣＰＵ１０８は、ＬＥＤ１１５を点灯させ、ＬＥＤ１１６を消灯させる制御を行う。この制御に応じて、ＬＥＤ１１５は点灯し、ＬＥＤ１１６は消灯する。
【００４７】
図２における操作部１０７内のファンクションキー５０６及び５０７は、キーの部分が半透明の部材により構成され、そのキーの奥には照明用のＬＥＤが埋め込まれており、これらＬＥＤが水平方向の角度調整用情報としての所定の明滅パターンの光を出力する。具体的には、水平センサ１０６からの測定結果が、図４の姿勢４０２に示すように携帯電話機が左に傾いた姿勢であることを示す場合には、利用者に対して右へ傾ける指示を出すべく、ＣＰＵ１０８は、ファンクションキー５０６におけるＬＥＤを消灯させ、ファンクションキー５０７におけるＬＥＤを点灯させる制御を行う。この制御に応じて、ファンクションキー５０６におけるＬＥＤは消灯し、ファンクションキー５０７におけるＬＥＤは点灯する。一方、水平センサ１０６からの測定結果が、図４の姿勢４０３に示すように携帯電話機が右に傾いた姿勢であることを示す場合には、利用者に対して左へ傾ける指示を出すべく、ＣＰＵ１０８は、ファンクションキー５０６におけるＬＥＤを点灯させ、ファンクションキー５０７におけるＬＥＤを消灯させる制御を行う。この制御に応じて、ファンクションキー５０６におけるＬＥＤは点灯し、ファンクションキー５０７におけるＬＥＤは消灯する。
【００４８】
また、図２における操作部１０７内のテンキー５０８及び５０９は、ファンクションキー５０６及び５０７と同様、キーの部分が半透明の部材により構成され、そのキーの奥には照明用のＬＥＤが埋め込まれており、これらＬＥＤが水平方向の角度調整用情報としての所定の明滅パターンの光を出力する。携帯電話機の姿勢の第１の例を図４に示す。水平センサ１０６からの測定結果が、図４の姿勢４０２に示すように携帯電話機が左に傾いた姿勢であることを示す場合には、利用者に対して右へ傾ける指示を出すべく、ＣＰＵ１０８は、テンキー５０８におけるＬＥＤを消灯させ、テンキー５０９におけるＬＥＤを点灯させる制御を行う。この制御に応じて、テンキー５０８におけるＬＥＤは消灯し、テンキー５０９におけるＬＥＤは点灯する。一方、水平センサ１０６からの測定結果が、図４の姿勢４０３に示すように携帯電話機が右に傾いた姿勢であることを示す場合には、利用者に対して左へ傾ける指示を出すべく、ＣＰＵ１０８は、テンキー５０８におけるＬＥＤを点灯させ、テンキー５０９におけるＬＥＤを消灯させる制御を行う。この制御に応じて、テンキー５０８におけるＬＥＤは点灯し、テンキー５０９におけるＬＥＤは消灯する。
【００４９】
再び、図３に戻って説明する。利用者が、水平方向の角度調整用情報に応じて、携帯電話機の姿勢を水平にさせた後、操作部１０７内のカメラ起動スイッチ５０４を押下すると、操作部１０７は、その操作に対応する操作情報をＣＰＵ１０８へ出力する。ＣＰＵ１０８は、この操作情報が入力されると、映像処理部１１２に対して、映像データの出力を指示する。映像処理部１１２は、この指示に応じて、その時点においてカメラ１１１から入力される映像信号に対応する映像データをＣＰＵ１０８へ出力する。ＣＰＵ１０８は、この映像データを取得する（映像撮影・取得）（Ｓ３０５）。
【００５０】
更に、ＣＰＵ１０８は、取得した映像データを圧縮し（Ｓ３０６）、圧縮した映像データ（圧縮映像データ）を記録部１１４に保存する（Ｓ３０７）。その後、利用者が、記録部１１４に保存された映像データに対応する映像の表示を要求すべく、操作部１０７を用いて所定の操作を行うと、操作部１０７は、その操作に対応する操作情報をＣＰＵ１０８へ出力する。ＣＰＵ１０８は、この操作情報が入力されると、記録部１１４に記録された圧縮映像データを読み出し（Ｓ３０８）、伸張する（Ｓ３０９）。更に、ＣＰＵ１０８は、伸張した映像データを映像処理部１１２へ出力する。映像処理部１１２は、入力される映像データを表示部１１３において表示可能な信号に変換して表示部１１３へ出力する。表示部１１３は、映像処理部１１２からの信号に応じた映像の表示、換言すれば、Ｓ３０５において撮影、取得された映像の表示を行う（Ｓ３１０）。
【００５１】
このように、第１実施例において、携帯電話機は、水平センサ１０６により、自己の姿勢についての水平方向の角度を測定し、その測定結果に基づいて、水平方向の角度調整用情報を生成し、外部へ出力する。従って、利用者は、外部出力された水平方向の角度調整用情報、具体的には、表示部１１３に表示される矢印画像５０２及び５０３、ＬＥＤ１１５及び１１６の明滅、ファンクションキー５０６及び５０７やテンキー５０８及び５０９におけるＬＥＤの明滅に基づいて、携帯電話機の水平方向の姿勢を調整することができる。これにより、携帯電話機の姿勢を容易に水平に保たせること、換言すれば、カメラ１１１の撮影による映像の水平を保たせることが可能となる。
【００５２】
なお、携帯電話機は、ＬＥＤ１１５及び１１６を備えていなくても良い。例えば、携帯電話機の操作部１０７内のファンクションキー５０６及び５０７やテンキー５０８及び５０９におけるＬＥＤの光の明滅により、水平方向の角度調整用情報に応じた利用者への指示を行う。この場合、携帯電話機は、水平方向の角度調整用情報を出力するためだけにＬＥＤを備える必要がなく、コスト削減が可能となる。
【００５３】
また、携帯電話機は、垂直センサ１０５により、自己の姿勢についての垂直方向の角度を測定し、その測定結果に基づいて、垂直方向の角度調整用情報を生成し、外部へ出力するようにしても良い。この場合、利用者は、外部出力された垂直方向の角度調整用情報に基づいて、携帯電話機の垂直方向の姿勢を調整することができる。
【００５４】
次に、第２実施例について説明する。第２実施例における携帯電話機の動作を示すフローチャートを図６に示す。
【００５５】
利用者が操作部１０７内のカメラ起動スイッチ５０４を押下すると、操作部１０７は、その操作に対応する操作情報をＣＰＵ１０８へ出力する。ＣＰＵ１０８は、この操作情報が入力されると、映像処理部１１２を介してカメラ１１１に対して起動信号を出力する。カメラ１１１は、起動信号が入力されると、起動し、映像を撮影可能な状態になる（Ｓ６０１）。
【００５６】
ＣＰＵ１０８は、Ｓ６０１の動作の後、垂直センサ１０５を起動する。起動した垂直センサ１０５は、携帯電話機の姿勢について垂直方向の角度を測定し、その測定結果をＣＰＵ１０８へ出力する（Ｓ６０２）。ＣＰＵ１０８は、入力される携帯電話機の姿勢についての垂直方向の角度が所定の角度範囲内であるか否かを判定する（Ｓ６０３）。
【００５７】
携帯電話機の姿勢の第２の例及び第３の例を図７及び図８にそれぞれ示す。図７の姿勢７０１及び図８の姿勢８０１は、利用者が音声通話や映像撮影等の通常の使用を行う場合における携帯電話機の姿勢を示し、カメラ１１１の撮影方向が水平である。また、図７の姿勢７０２は、カメラ１１１が若干下方を向き、図８の姿勢８０２は、カメラ１１１の撮影方向が若干上方を向いているが、利用者が特殊な使用を行う場合ではない。更に、図７の姿勢７０３は、カメラ１１１の撮影方向が下方を向いているが、利用者が草花や卓上の物体等を上方から撮影するような場合であり、これも特殊な使用を行う場合ではない。これらに対して、図８の所定の角度範囲８０５内の姿勢（例えば姿勢８０３）は、カメラ１１１の撮影方向が上方を向いており、利用者が隠し撮り等の不正な使用を行う場合であると考えられる。従って、携帯電話機の姿勢についての垂直方向の角度が角度範囲８０５内である場合には、カメラ１１１による撮影が制限されることが望ましい。
【００５８】
具体的には、ＣＰＵ１０８は、測定された携帯電話機の姿勢についての垂直方向の角度が所定の角度範囲内であると判断した場合（Ｓ６０３で肯定判断した場合）、映像処理部１１２を介してカメラ１１１に対して停止信号を出力する。カメラ１１１は、停止信号が入力されると、映像の撮影が不可能になったり、映像処理部１１２への映像信号の出力が停止される等、撮影が制限された状態になる（Ｓ６０４）。その後、Ｓ６０２における携帯電話機の姿勢についての垂直方向の角度測定以降の動作が繰り返される。
【００５９】
一方、ＣＰＵ１０８は、測定された携帯電話機の姿勢についての垂直方向の角度が所定の角度範囲外であると判断した場合（Ｓ６０３で否定判断した場合）、映像処理部１１２を介してカメラ１１１に対して撮影開始の指示の信号を出力する。カメラ１１１は、この撮影開始の指示の信号が入力されると、撮影を開始して映像信号を映像処理部１１２へ出力する。映像処理部１１２は、入力される映像信号を表示部１１３において表示可能な信号に変換して表示部１１３へ出力する。表示部１１３は、映像処理部１１２からの信号に応じた映像の表示、換言すれば、カメラ１１１の撮影によって得られる映像信号に基づく映像の表示を行う（Ｓ６０５）。利用者は、表示部１１３に表示される映像を見ながら、カメラ１１１が被写体の方向を向くように、そのカメラ１１１の方向を調整して、被写体をカメラ１１１の撮影範囲に収めるようにする。
【００６０】
その後、携帯電話機は、図３のＳ３０３以降の動作と同様の動作を行う。すなわち、ＣＰＵ１０８は、Ｓ６０５の動作の後、水平センサ１０６を起動する。起動した水平センサ１０６は、携帯電話機の姿勢について水平方向の角度を測定し、その測定結果をＣＰＵ１０８へ出力する（Ｓ６０６）。ＣＰＵ１０８は、携帯電話機の姿勢についての水平方向の角度の測定結果に基づいて、水平方向の角度調整用情報を生成し、外部へ出力する（Ｓ６０７）。
【００６１】
その後、利用者が、水平方向の角度調整用情報に応じて、携帯電話機の姿勢を水平にさせた後、操作部１０７内のカメラ起動スイッチ５０４を押下すると、操作部１０７は、その操作に対応する操作情報をＣＰＵ１０８へ出力する。ＣＰＵ１０８は、この操作情報が入力されると、映像処理部１１２に対して、映像データの出力を指示する。映像処理部１１２は、この指示に応じて、その時点においてカメラ１１１から入力される映像信号に対応する映像データをＣＰＵ１０８へ出力する。ＣＰＵ１０８は、この映像データを取得する（映像撮影・取得）（Ｓ６０８）。
【００６２】
更に、ＣＰＵ１０８は、取得した映像データを圧縮し（Ｓ６０９）、圧縮した映像データ（圧縮映像データ）を記録部１１４に保存する（Ｓ６１０）。その後、利用者が、記録部１１４に保存された映像データに対応する映像の表示を要求すべく、操作部１０７を用いて所定の操作を行うと、操作部１０７は、その操作に対応する操作情報をＣＰＵ１０８へ出力する。ＣＰＵ１０８は、この操作情報が入力されると、記録部１１４に記録された圧縮映像データを読み出し（Ｓ６１１）、伸張する（Ｓ６１２）。更に、ＣＰＵ１０８は、伸張した映像データを映像処理部１１２へ出力する。映像処理部１１２は、入力される映像データを表示部１１３において表示可能な信号に変換して表示部１１３へ出力する。表示部１１３は、映像処理部１１２からの信号に応じた映像の表示、換言すれば、Ｓ６０８において撮影、取得された映像の表示を行う（Ｓ６１３）。
【００６３】
このように、第２実施例において、携帯電話機は、垂直センサ１０５により、自己の姿勢についての垂直方向の角度を測定し、その測定結果が所定の角度範囲内、換言すれば、カメラ１１１の撮影方向が上方方向の所定範囲内である場合には、携帯電話機の姿勢が不適切であるとしてカメラ１１１の撮影を制限する。これにより、利用者がカメラ１１１の撮影方向を上方に傾けて隠し撮りを行う場合等における不正使用を防止し、利用者に対して携帯電話機の姿勢が不適切であることを認識させることが可能となる。
【産業上の利用可能性】
【００６４】
以上のように、本発明にかかる携帯端末及び携帯端末制御方法は、撮影操作時における携帯端末の姿勢が適切であるか否かを利用者に容易に認識させることが可能となるという効果を有し、撮影手段を備えた携帯端末及びその携帯端末の制御方法として有用である。
【図面の簡単な説明】
【００６５】
【図１】本発明の実施の形態における携帯電話機のブロック図
【図２】本発明の実施の形態における携帯電話機の正面図
【図３】第１実施例における携帯電話機の動作を示すフローチャート
【図４】携帯電話機の姿勢の第１の例を示す図
【図５】表示画面の一例を示す図
【図６】第２実施例における携帯電話機の動作を示すフローチャート
【図７】携帯電話機の姿勢の第２の例を示す図
【図８】携帯電話機の姿勢の第３の例を示す図
【符号の説明】
【００６６】
１０１  アンテナ・スイッチ部
１０２  復調部
１０３  変調部
１０４  信号処理部
１０５  垂直センサ
１０６  水平センサ
１０７  操作部
１０８  ＣＰＵ
１０９  マイク
１１０  スピーカ
１１１  カメラ
１１２  映像処理部
１１３  表示部
１１４  記録部
１１５、１１６  ＬＥＤ
５０４  カメラ起動スイッチ
５０５  スクロールバー
５０６、５０７  ファンクションキー
５０８、５０９  テンキー
【図１】
2005303432.tif 000003
【図２】
2005303432.tif 000004
【図３】
2005303432.tif 000005
【図４】
2005303432.tif 000006
【図５】
2005303432.tif 000007
【図６】
2005303432.tif 000008
【図７】
2005303432.tif 000009
【図８】
2005303432.tif 000010